【手続補正書】
【提出日】平成29年2月22日(2017.2.22)
【手続補正１】
【補正対象書類名】特許請求の範囲
【補正対象項目名】全文
【補正方法】変更
【補正の内容】
【特許請求の範囲】
【請求項１】
子供にとって安全なスライダジッパークロージャシステムであって、
（ａ）  動作可能に開閉可能なジッパークロージャと；
前記ジッパークロージャに動作可能に取り付けられた２つの可動スライダを有するスライダ構造と；
を備え、
前記２つのスライダは、選択的にともに連結されかつ前記ジッパークロージャに沿って単一ユニットとして摺動するよう構成されかつ配置されていることを特徴とするスライダジッパークロージャシステム。
【請求項２】
前記２つのスライダは、互いから選択的に解放されかつ前記ジッパークロージャに沿って個別に摺動するよう構成されかつ配置されていることを特徴とする請求項１に記載のスライダジッパークロージャシステム。
【請求項３】
前記２つのスライダは、ともに連結されている場合に、連結されたスライダが前記ジッパークロージャに沿って任意の方向に移動される際に前記ジッパークロージャが閉じられたままとなるように構成されかつ配置されていることを特徴とする請求項１または請求項２に記載のスライダジッパークロージャシステム。
【請求項４】
前記２つのスライダは、前記２つのスライダが互いから解放されている場合に、前記２つのスライダの一方または両方を前記ジッパークロージャに沿って互いから離れる方向に移動させることによって前記ジッパークロージャを開放できるように構成されかつ配置されていることを特徴とする請求項２に記載のスライダジッパークロージャシステム。
【請求項５】
前記２つのスライダは、それらの間に選択的に解除可能な接続を実現するために突出−受容構造を含むことを特徴とする請求項１から請求項４のいずれか一項に記載のスライダジッパークロージャシステム。
【請求項６】
前記突出−受容構造は、前記２つのスライダの一方から延出する突起を備えるタブと、前記２つのスライダの他方において前記突起を受容するサイズになされた開口と、を含むことを特徴とする請求項５に記載のスライダジッパークロージャシステム。
【請求項７】
前記突出−受容構造は、前記２つのスライダの一方から延出するローブ形状突出部と、前記２つのスライダの他方における前記ローブ形状突出部を受容するサイズになされた開口と、を含むことを特徴とする請求項５に記載のスライダジッパークロージャシステム。
【請求項８】
前記２つのスライダの各々は突出部および受容部の両方を有することを特徴とする請求項５から請求項７のいずれか一項に記載のスライダジッパークロージャシステム。
【請求項９】
請求項１から請求項８のいずれか一項に記載の前記スライダジッパークロージャシステムを備えるフレキシブルパッケージであって、前記ジッパークロージャは、前記ジッパークロージャが開放された場合にパッケージの内側へのアクセスを提供する、ことを特徴とするフレキシブルパッケージ。
【請求項１０】
相互連結する雄型および雌型形状部を含む雄型トラックおよび雌型トラックを有するプラスチック製のジッパークロージャのためのダブルスライダであって、
前記ダブルスライダは：
（ａ）  開端部と閉端部とを備える本体を有する第１のスライダであって；
（ｉ）  前記本体は上部部材とそこから延出する第１および第２の側壁とを含み；前記第１のスライダは前記第１および第２の側壁の間において前記上部部材の内面から垂下する分離フィンガを有しており；
（Ａ）  前記本体は、これら複数のトラックに跨る前記第１および第２の側壁と前記複数のトラックの間に位置決めされる前記フィンガとともに、前記複数のトラックの上縁部に沿って移動するよう構成されており；
（ｉｉ）  前記分離フィンガは、前記第１のスライダの前記閉端部におけるよりも前記第１のスライダの前記開端部へ向けて幅広となっており、前記フィンガの幅広端部によって前記雄型および雌型形状部の分離が可能であり；
（ｉｉｉ）  前記第１および第２の側壁は、前記第１のスライダが前記複数のトラックに沿って移動されると前記雄型および雌型形状部を相互連結関係となるように係合させるために、前記閉端部へ向けてともに十分に近接するよう離間された内面を有する；
第１のスライダと、
（ｂ）  前記第１のスライダに解放可能に接続された第２のスライダであって、前記第２のスライダは、第１の端部および第２の端部を備える本体を有しており；
（ｉ）  前記第２のスライダの本体は、上部部材と、それから延出する第１および第２の側壁と、を含み；
（Ａ）  前記第２のスライダの本体は、前記複数のトラックに跨る前記第１および第２の側壁とともに、前記複数のトラックの上縁部に沿って移動するよう構成されており；
（ｉｉ）  前記第２のスライダの第１および第２の側壁は、前記第２のスライダが前記複数のトラックに沿って移動されると前記雄型および雌型形状部を相互連結関係となるように係合させるために、ともに十分に近接するよう離間された内面を有する；
第２のスライダと、
を備えており、
（ｃ）  前記第１のスライダおよび前記第２のスライダは、係合ポジションと係合解除ポジションとの間でともに選択的に解放可能に接続されており；
（ｉ）  前記係合ポジションでは、前記第１および第２のスライダは前記複数のトラックの前記上縁部に沿って互いに移動し、かつ前記第１のスライダの本体の開端部は前記第２のスライダの本体の前記第１の端部に接触し；
（ｉｉ）  前記係合解除ポジションでは、前記第１および第２のスライダは前記複数のトラックの前記上縁部に沿って互いから独立して移動する；
ことを特徴とするダブルスライダ。
【請求項１１】
（ａ）  前記第１のスライダおよび第２のスライダは、それらの間に選択的に解除可能な接続を実現するために突出−受容構造を有することを特徴とする請求項１０に記載のダブルスライダ。
【請求項１２】
開放および再閉鎖可能な開口を有するジッパー付きプラスチック製のバッグであって、
前記バッグは；
（ａ）  前記開口を形成する上部と、底部と、第１および第２の対向する側部と、を各々が有する第１および第２のパネルと；
（ｂ）  前記開口を閉鎖するよう相互連結するためかつ前記開口を開放するよう連結解除するための、前記第１のパネルおよび前記第２のパネルの上部付近におけるジッパークロージャと；
（ｃ）  前記ジッパークロージャに配置される第１のスライダであって、前記第１のスライダは、前記雄型および雌型トラックに沿って移動することによって、前記開口の開閉時に、前記ジッパークロージャと協働する、第１のスライダと；
（ｄ）  前記ジッパークロージャに配置される第２のスライダであって、前記第２のスライダは、前記ジッパークロージャに沿って移動することによって、前記開口を少なくとも閉鎖する時に、前記ジッパークロージャと協働する、第２のスライダと；
を備え、
（ｉ）  前記第１のスライダおよび第２のスライダは、前記第１のスライダおよび前記第２のスライダの少なくとも一方が前記第１のスライダおよび前記第２のスライダの他方へ向かう方向に移動される場合に前記ジッパークロージャが相互連結され；かつ、前記第１のスライダおよび前記第２のスライダの一方が前記第１のスライダおよび前記第２のスライダの他方から離れる方向に移動される場合に前記ジッパークロージャが連結解除されるよう、前記ジッパークロージャ上に配向されており、
前記第１のスライダおよび第２のスライダはともに取り外し可能に接続されるることを特徴とするジッパー付きプラスチックバッグ。
【請求項１３】
（ａ）  前記第１のスライダおよび第２のスライダは、それらの間に選択的に解除可能な接続を実現するために突出−受容構造を有することを特徴とする請求項１２に記載のジッパー付きプラスチックバッグ。
【請求項１４】
開放可能かつ再閉鎖可能な開口を有するジッパー付きプラスチックバッグを作動する方法であって、前記方法は：
（ａ）  前記開口を形成する上部と底部と第１および第２の対向する側部とを各々が有する第１および第２のパネルと；前記開口を閉鎖するよう相互連結するためかつ前記開口を開放するよう連結解除するために前記第１のパネルおよび前記第２のパネルの前記上部に近接されたジッパークロージャと；前記ジッパークロージャ上に配置された第１のスライダと；前記ジッパークロージャ上に配置された第２のスライダと；を有するジッパー付きプラスチックバッグを提供するステップと；
（ｂ）  前記第１のスライダおよび第２のスライダの少なくとも一方を前記第１のスライダおよび第２のスライダの他方から離れる方向に移動させることによる前記ジッパークロージャの連結解除によって前記開口を開放するステップと；
（ｃ）  前記第１のスライダおよび第２のスライダの少なくとも一方を前記第１のスライダおよび第２のスライダの他方へ向かう方向に移動させることによる前記ジッパークロージャの相互連結によって前記開口を閉鎖するステップと；
を含むことを特徴とする方法。
【請求項１５】
（ａ）  前記ジッパークロージャを連結解除することによって前記開口を開放するステップは、前記第１のスライダと第２のスライダとの間の接続を解除するステップを含むことを特徴とする請求項１４に記載の方法。